(57)【要約】【課題】  電子レンジから取り出す時に、安全で、火傷しないで確実に取り出せる容器であって、直視で容器をつかめる場所が明確に分かり易いレトルト加熱が可能な自立性フィルム容器を得る。【解決手段】  少なくとも前面フィルム（２）と、背面フィルム（３）と、底面に折り込まれる底面フィルム（４）と、からなり、前面フィルムと背面フィルムとが、少なくとも左側面と右側面との周縁に周縁シール部を有し、折り込んだ底面フィルムが前面フィルムと背面フィルムの底面側に融着した袋状の自立性フィルム容器において、側面周縁シール上方に、外側の未シール部（５１）が容器内部に延設する蒸気抜き部（５）を設け、蒸気抜き部を設けた側面周縁シールの底側を、上面側に対し外側へ飛び出させ、飛び出した周縁シール部を持ち手（１４）としたことを特徴とする自立性フィルム容器（１）。【選択図】図１
2017071424.tif 000002
【特許請求の範囲】
【請求項１】
少なくとも前面フィルムと、背面フィルムと、底面に折り込まれる底面フィルムとからなり、前面フィルムと背面フィルムとが、少なくとも左側面と右側面との周縁に周縁シール部を有し、折り込んだ底面フィルムが前面フィルムと背面フィルムの底面側に融着した袋状の自立性フィルム容器において、
側面周縁シール上方に、外側の未シール部が容器内部に延設する蒸気抜き部を設け、
蒸気抜き部を設けた側面周縁シールの底側を、上面側に対し外側へ飛び出させ、飛び出した周縁シール部を持ち手としたことを特徴とする自立性フィルム容器。
【請求項２】
蒸気抜き部下端高さと、持ち手上端高さの間に、底面の折り込み線にほぼ平行な開口部を設けたことを特徴とする請求項１に記載の自立性フィルム容器。
【請求項３】
持ち手の周縁に、前面フィルムと背面フィルムを互いに融着した持ち手周縁融着部を設けたことを特徴とする請求項１又は２に記載の自立性フィルム容器。
【請求項４】
持ち手の周縁シール部が、中央に穴を設けた持ち手であることを特徴とする請求項１〜３のいずれかに記載の自立性フィルム容器。
【発明の詳細な説明】
【技術分野】
【０００１】
本発明は、フィルムで構成された容器であって、底面に折り込み部を有し、上部を開口し、内容物を取り出しやすくしたフィルム製容器に関する。
【背景技術】
【０００２】
ブローボトルのような自立性があり、樹脂使用量が少ないフィルムで構成される自立性容器は、中間フィルムを底側、あるいは側面などに折り込んで設けることにより開発され、簡単な機構を組み込むことによって、製袋機械で生産が可能である。
特に、下側に折り込み部を設けた自立性容器は、自立性も高く、製造し易い上に、内容物を収納前ではコンパクトに畳められることから、ボトル代替用包装体として、積極的に利用されている。
これらは、シャンプーやリンス、液体洗剤などのトイレタリーの詰め替え容器としても用いられると共に、醤油など一次容器としても使用されるようになっている。
【０００３】
ところで、近年、フィルム製容器を、レトルトパウチとして使用し、湯煎、あるいは電子レンジなどにより加熱処理する利用が提案されて来ている。
このようなフィルム製容器は、食品が容器内部に収納した状態で加熱され、加熱後、他の容器に移す方法が採られていた。
このフィルム製容器をレトルトパウチに使用した場合、加熱されたフィルム製容器は、非常に高温、高圧になって、内部から水蒸気などの気体が発生する。
この水蒸気などの気体は、高温になると、容器を膨らませ、そのまま膨張させると、フィルム製容器が破裂し、高温の内容物が飛び散る恐れがある。
その為、水蒸気などが高圧になった時点で、蒸気抜きによって、容器外部に発生した気体を逃がし、気圧を下げる仕組みが採られる。
【０００４】
このようなレトルトでフィルム製容器内部が高圧・高温になる問題に対する対応として、例えば、特許文献１では、
袋体を形成する両サイドシール線の一部が内側に曲折しＶ字状をなして該Ｖ字状シール部の谷部に三角形状の未シール面を形成し、該未シール面がサイドシール線のシール面より袋体の内側に突出形成したことを特徴とする電子レンジ用自立性袋を提案している。
【０００５】
この電子レンジ用自立性袋は、Ｖ字状シール部からなる蒸気抜き近傍が非常に高温になり、電子レンジから取り出す時に、開口している蒸気抜きから高温の蒸気や内容物が流出し、火傷などを負ってしまうなどの問題があった。
特に、蒸気抜き部が容器の上方に設ける必要があり、蒸気抜きの開口部から高温の液体がこぼれ、どこをつかんで容器を取り出したらよいか分かりにくく、とっさの場合でも、間違いなく安全に容器をつかめる場所か必要であった。
【先行技術文献】
【特許文献】
【０００６】
【特許文献１】実開平４−１００７９号公報
【発明の概要】
【発明が解決しようとする課題】
【０００７】
そこで、電子レンジから取り出す時に、安全で、火傷しないで確実に取り出せる容器であって、直視で容器をつかめる場所が明確に分かり易いレトルト加熱が可能な自立性フィルム容器を得ることが本発明の課題である。
【課題を解決するための手段】
【０００８】
本発明は、少なくとも前面フィルムと、背面フィルムと、底面に折り込まれる底面フィルムと、からなり、
前面フィルムと背面フィルムとが、少なくとも左側面と右側面との周縁に周縁シール部を有し、
折り込んだ底面フィルムが前面フィルムと背面フィルムの底面側に融着した袋状の自立性フィルム容器において、
側面周縁シール上方に、外側の未シール部が容器内部に延設する蒸気抜き部を設け、
蒸気抜き部を設けた側面周縁シールの底側を、上面側に対し外側へ飛び出させ、飛び出した周縁シール部を持ち手としたことを特徴とする自立性フィルム容器である。
【発明の効果】
【０００９】
本発明の自立性フィルム容器は、電子レンジなどで加熱した後に取り出す時、つかむべきところが明確で、かつ、つかんで持ち下げても、内容物をこぼさずに、安全に取り出すことが出来る。
【図面の簡単な説明】
【００１０】
【図１】本発明の自立性フィルム容器で、内容物を充填した容器の外観を示す斜視図と、自立性フィルム容器の正面図である。
【図２】本発明の自立性フィルム容器で、その電子レンジで加熱中の状態を示す断面図と、加熱後持ち手を持って、容器を提げた状態の断面図である。
【図３】本発明の自立性フィルム容器で、その電子レンジで加熱後、開口部を開封し、内容物を取り出せる状態を示す斜視図である。
【発明を実施するための形態】
【００１１】
以下、本発明の自立性フィルム容器の実施形態例について、図を用いて詳細に説明する。
図１は本発明の自立性フィルム容器１で、図１−１が内容物を充填した容器の外観を示す斜視図、図１−２が自立性フィルム容器１の正面図である。
【００１２】
この第１実施例では、前面フィルム２と背面フィルム３は、上面７で折り畳まれた一枚のフィルムから構成されている。
前面フィルム２と背面フィルム３は、左側面と右側面との周縁が左側面シール部１１，右側面シール部１２となって、周縁シール部を設けている。
底面フィルム４は、融着面を外側にして折り込んで、前面フィルム２と背面フィルム３との間に挟むように挿入され、それらの底面側に融着し、それぞれ、底前面融着部４１、底背面融着部４２で融着している。
このようにして折り込んだ底面フィルム４は、折り目が広げられ、底前面融着部４１と底背面融着部４２が前後に大きく離れて底面４０を形成することができ、自立するフィルム容器になる。
この底面フィルム４の折り込み線４３は、上面７に対し平行に設置されており、折り込み線４３より上方の側面シール部に、蒸気抜き部５が形成されている。
【００１３】
蒸気抜き部５は、シール外側の未シール部５１が、その周囲に対して、容器内部に延設している。この未シール部５１は、未シールでそのまま前面フィルム２や背面フィルム３を残してもかまわないが、図のように、形状に合わせて切断してあってもかまわない。
さらに、左開封開始点６１、右開封開始点６２を結ぶ開口部６も、底面の折り込み線４３や上面７に対してほぼ平行に、かつ、蒸気抜き部５よりも下方に設けている。
もちろん、前面フィルム２と背面フィルム３が別々のフィルムからなり、上面や側面、底
面などの周縁をシールする構成であっても問題はない。
【００１４】
持ち手１４は、蒸気抜き部５と同じ側面側に設ける。図１の実施例では、蒸気抜き部５が右側に設けたので、右側面シール部１２の下側に、持ち手１４を設けている。
持ち手１４上端は、開口部６よりも下方で、底面フィルムの折り込み線４３よりも上方に設けられ、持ち手１４下端は、容器の前面フィルム２と背面フィルム３下端近傍まで設けられている。
【００１５】
持ち手１４には、中央に切り込み１５が設けられている。又、底を形成する底前面融着部４１と持ち手１４との間に切り抜き孔１６を設けている。
これらは、必ずしも必要ではないが、切り抜き孔１６や切り込み１５があると、これらに、手の指を挿入し、確実に容器を持ちやすくなる。
【００１６】
左開封開始点６１、右開封開始点６２は、この実施例では、切り欠きで記載しているが、切り込みや、半切れ、ミシン目、などの開封開始点でも良い。
また、左開封開始点６１、右開封開始点６２との間の開口部６は、ハーフカットやハーフカットのミシン目、レーザー加工による脆弱化した開口部６にしても良い。
【００１７】
底面シールと側面シールとが交差した持ち手１５の下側に、底面フィルム４を一部開孔、あるいは切り欠いて、前面フィルム２と背面フィルム３とが融着する持ち手周縁融着部１３を設けている。
必ずしも必須ではないが、持ち手周縁融着部１３を設けると、持ち手１４がしっかりして、安定して容器を持ったり、支えたりすることができる。
【００１８】
図２は本発明の自立性フィルム容器の実施例で、内容物８を加熱中の断面図と、その加熱後に取り出すために持ち手１４を持って容器を取り出している状態の断面図である。
図２−１では、電子レンジ等で容器を高周波加熱すると、加熱された内容物８から水蒸気８１が発生し、自立性フィルム容器は内部が高圧になって、大きく膨らむ。
自立性フィルム容器の内部圧力が上昇し、容器が膨らんで、その内側に飛び出している融着部を剥離する力が集中するので、蒸気抜き部５の内側が剥離し出す。
蒸気抜き部５の剥離し始めた剥離部５２先端が、容器内部に延設されたシール外側の未シール部５１に到達すると、水蒸気８１が外部に漏れ、一定の圧力で留まり、その圧力が保持される。
蒸気抜き部５が開口部よりも上方にあるので、内容物の液体が噴出して飛び散ることは無い。
【００１９】
図２−２は、上記のように加熱された容器を取り出すのに、持ち手１４だけをつかんで、容器を吊るした状態である。
このように、蒸気抜き部５と持ち手１４が同じ側面側にあるので、一部の周縁シール部が剥離した蒸気抜き部５があっても、内容物８が持ち手１４や蒸気抜き部５から離れた下側に行き、蒸気抜き部５には内容物が来ないので、高温の内容物８が直接噴出することがない。
このようにして、電子レンジなどの加熱機から、容易に本発明の自立式フィルム容器を取り出すことができる。
【００２０】
図３は本発明の自立性フィルム容器の実施例で、加熱した自立性フィルム容器の開口部６を開封し、加熱した内容物を取り出せる状態を示す斜視図で、開口部６から切り裂いた上側が図３−１で、内容物がある下側が図３−２である。
開口部６を開封する際、開口部６の左右に設けた左開封開始点６１、あるいは右開封開始点６２から、引き裂いて開口部６を開封する。
容器には持ち手１４が容器から充分に飛び出して設けられているので、持ち手１４は高温にはなっていない。また、底面が広がっているので、安定して自立しており、他の容器に移すことなく、持ち手１４を持って、そのまま内容物８を食すことが出来る。
【００２１】
本発明の自立性フィルム容器に用いる前面フィルム２や背面フィルム３には、外側から延伸ポリエチレンテレフタレート／ポリエチレン／バリアフィルム／シーラントなどの構成が考えられる。
例えば、２軸延伸ポリエチレンテレフタレート／ポリエチレン、
２軸延伸ポリアミド／ポリエチレン／無機酸化物蒸着ポリエチレンテレフタレート／ポリエチレン、
２軸延伸ポリエチレンテレフタレート／ポリエチレン／エチレン酢酸ビニル共重合体鹸化物／ポリエチレン、
２軸延伸ポリエチレンテレフタレート／ポリエチレン／接着樹脂／ポリアミド／接着樹脂／ポリエチレン、
２軸延伸ポリプロピレン／ポリアミド／接着樹脂／ポリエチレン、
などの一般的な構成が考えられる。
【００２２】
バリアフィルムとして、酸化珪素や酸化アルミニウムなどの酸化金属を蒸着した延伸ポリエチレンテレフタレートや延伸ポリアミドなどのフィルムや、エチレン酢酸ビニル共重合体鹸化物などを使用するが、アルミニウムなどの純金属を蒸着したものや金属箔などは、電子レンジで高温に発熱してしまうので使用しない。
ポリアミドフィルムを使用するのは、破断しにくいと共に、耐衝撃性も高く、かつ、柔軟性が高い為に使用する。
シーラントには、融着強度や耐熱性が高い直鎖状低密度ポリエチレンが良好である。
これらのフィルムは、通常のドライラミネーション機、エクストルーダーラミネート機などで貼り合わせるなどして製造することができる。
【００２３】
底面フィルムに使用するフィルムは、前面フィルムや背面フィルムの構成であってもかまわない。ただ、折り畳んで使用するため、前面フィルム２や背面フィルム３よりも軟らかくする為、表層の２軸延伸フィルムなどを薄くすることが好ましい。
特に、表面層同士が融着しないよう、表層には２軸延伸フィルムを使用する。
【００２４】
本発明の自立性フィルム容器は、以上のようなもので、湯煎や電子レンジなどで加熱して使用する容器に使用される。
このフィルム製容器は、加熱後の取り出し時に、持ち手があるので、つかむところが明確である。かつ、持ち手をつかんで吊り下げれば、蒸気抜き部を確実に高い位置に保持できるので、容器の内容物が飛び散る問題も発生しない。
しかも、蒸気抜き部が安定して内容物界面より上方に位置するので、内容物を取り出す時に蒸気抜き部が邪魔をせずに開封できる。
又、開封後も自立するので、そのままの状態で移し変えることも無く、内容物を食すことが可能であり、非常に扱いやすいなど、本発明のメリットは大きい。
【符号の説明】
【００２５】
１・・・・・・・・・自立性フィルム容器
１１・・・・・・・・左側面シール部
１２・・・・・・・・右側面シール部
１３・・・・・・・・持ち手周縁融着部
１４・・・・・・・・持ち手
１５・・・・・・・・切り込み
１６・・・・・・・・切り抜き孔
２・・・・・・・・・前面フィルム
３・・・・・・・・・背面フィルム
４・・・・・・・・・底面フィルム
４０・・・・・・・・底面
４１・・・・・・・・底前面融着部
４２・・・・・・・・底背面融着部
４３・・・・・・・・折り込み線
５・・・・・・・・・蒸気抜き部
５１・・・・・・・・未シール部
５２・・・・・・・・剥離部
６・・・・・・・・・開口部
６１・・・・・・・・左開封開始点
６２・・・・・・・・右開封開始点
７・・・・・・・・・上面
８・・・・・・・・・内容物
８１・・・・・・・・水蒸気
【図１】
2017071424.tif 000003
【図２】
2017071424.tif 000004
【図３】
2017071424.tif 000005